(57)【要約】【課題】  緩衝機能及び仕切機能を備え、自動的に包装用箱として組み立て得る構造を持った包装用箱及びそのブランクシートの提供。【解決手段】  側板に続いて支持空間を囲う迫出し板、前基板、戻り板、後基板及び向心板を連続して備え、前記迫出し板の幅は左右側板の幅より短く、前記戻り板の幅は前記迫出し板の幅より短く、前記向心板の幅は前記戻り板の幅の半分であり、前記前後基板は、前後側板に定着し各々から離隔させるアンカーを備え、前記前後基板に折り重なる仕切板を前記前後基板の端縁から連続して備え、前記仕切板は、そこから離脱して前記支持空間を区画する仕切部と、前記仕切部の幅方向の一方から連続し前記前後基板の定位置に各々定着する前後静止リンク部と、前記幅方向の他方から連続し前記前後仕切部の配置を定める前後連動リンク部を備え、前記前後仕切板の連動リンク部は相互に固定される包装用箱及びそのブランクシート。【選択図】      図１
2017095167.tif 000002
【特許請求の範囲】
【請求項１】
一連のブランクシートから組み立てられ、左側板、前側板、右側板及び後側板に囲まれた閉鎖空間を備え、前記閉鎖空間の内部に緩衝空間に挟まれた支持空間を備えた包装用箱であって、
前記左側板、前側板、右側板及び後側板に続いて前記支持空間を囲う迫出し板、前基板、戻り板、後基板及び向心板を連続して備え、
前記迫出し板の幅は、前記左右側板の幅より短く、
前記戻り板の幅は、前記迫出し板の幅より短く、
前記向心板の幅は、前記戻り板の幅の略半分であり、
前記前基板は、その一部に前側板に定着し前記前基板を前記前側板から離隔させる前アンカーを備えると共に、前記前基板の前記前アンカーの反迫出し側に折り重なる前仕切板を前記前基板の端縁から連続して備え、
前記後基板は、その一部に後側板に定着し前記後基板を前記後側板から離隔させる後アンカーを備えると共に、前記後基板の前記後アンカーの反迫出し側に折り重なる後仕切板を前記後基板の端縁から連続して備え、
前記前仕切板は、前記前仕切板から離脱して前記支持空間を区画する幅を備えた前仕切部と、前記前仕切部の幅方向の一方から連続し前記前基板の定位置に各々定着する前静止リンク部と、前記前仕切部の幅方向の他方から連続し前記前仕切部の配置を定める前連動リンク部を備え、
前記後仕切板は、前記後仕切板から離脱して前記支持空間を区画する幅を備えた後仕切部と、前記後仕切部の幅方向の一方から連続し前記後基板の定位置に各々定着する後静止リンク部と、前記後仕切部の幅方向の他方から連続し前記後仕切部の配置を定める後連動リンク部を備え、
前記前仕切板の前連動リンク部及び後仕切板の後連動リンク部は相互に固定されていることを特徴とする包装用箱。
【請求項２】
一連のブランクシートから組み立てられ、左側板、前側板、右側板及び後側板に囲まれた閉鎖空間を備え、前記閉鎖空間の内部に緩衝空間に挟まれた支持空間を備えた包装用箱であって、
前記左側板、前側板、右側板及び後側板に続いて前記支持空間を囲う迫出し板、前基板、戻り板、後基板及び向心板並びに中基板を連続して備え、
前記迫出し板の幅は、前記左右側板の幅より短く、
前記戻り板の幅は、前記迫出し板の幅より短く、
前記向心板の幅は、前記戻り板の幅の略半分であり、
前記前基板は、その一部に前側板に定着し前記前基板を前記前側板から離隔させる前アンカーを備えると共に、前記前基板の前記前アンカーの反迫出し側に折り重なる前仕切板を前記前基板の端縁から連続して備え、
前記後基板は、その一部に後側板に定着し前記後基板を前記後側板から離隔させる後アンカーを備えると共に、前記後基板の前記後アンカーの反迫出し側に折り重なる後仕切板を前記後基板の端縁から連続して備え、
前記前仕切板は、前記前仕切板から離脱して前記支持空間を区画する幅を備えた前仕切部と、前記前仕切部の幅方向の一方から連続し前記前基板の定位置に各々定着する前静止リンク部と、前記前仕切部の幅方向の他方から連続し前記前仕切部の配置を定める前連動リンク部を備え、
前記後仕切板は、前記後仕切板から離脱して前記支持空間を区画する幅を備えた後仕切部と、前記後仕切部の幅方向の一方から連続し前記後基板の定位置に各々定着する後静止リンク部と、前記後仕切部の幅方向の他方から連続し前記後仕切部の配置を定める後連動リンク部を備え、
前記前仕切板の前連動リンク部及び後仕切板の後連動リンク部は前記中基板を介して相互に固定されていることを特徴とする包装用箱。
【請求項３】
前記閉鎖空間を囲む側板の端縁から延出する綴込み板を備え、前記綴込み板は、当該綴込み板が連続する側板の端縁から内側に折り返された返り部と、当該返り部の先端から内側に屈曲し前記支持空間と緩衝空間を仕切る遮蔽部を備え、前記仕切板は、前記遮蔽部の仕切位置を規制する支持部を備える前記請求項１又は前記請求項２のいずれかに記載の包装用箱。
【請求項４】
左側板、前側板、右側板及び後側板に囲まれた閉鎖空間を備え且つ前記閉鎖空間の内部に緩衝空間に挟まれた支持空間を備えた包装用箱に組み立てられる一連のブランクシートであって、
前記左側板、前側板、右側板及び後側板に続いて前記支持空間を囲う迫出し板、前基板、戻り板、後基板及び向心板を連続して備え、
前記迫出し板の幅は、前記左右側板の幅より短く、
前記戻り板の幅は、前記迫出し板の幅より短く、
前記向心板の幅は、前記戻り板の幅の略半分であり、
前記前基板は、その一部に前側板に定着し前記前基板を前記前側板から離隔させる前アンカーを備えると共に、前記前基板の前記前アンカーの反迫出し側に折り重なる前仕切板を前記前基板の端縁から連続して備え、
前記後基板は、その一部に後側板に定着し前記後基板を前記後側板から離隔させる後アンカーを備えると共に、前記後基板の前記後アンカーの反迫出し側に折り重なる後仕切板を前記後基板の端縁から連続して備え、
前記前仕切板は、前記前仕切板から離脱して前記支持空間を区画する幅を備えた前仕切部と、前記前仕切部の幅方向の一方から連続し前記前基板の定位置に各々定着する前静止リンク部と、前記前仕切部の幅方向の他方から連続し前記前仕切部の配置を定める前連動リンク部を備え、
前記後仕切板は、前記後仕切板から離脱して前記支持空間を区画する幅を備えた後仕切部と、前記後仕切部の幅方向の一方から連続し前記後基板の定位置に各々定着する後静止リンク部と、前記後仕切部の幅方向の他方から連続し前記前連動リンク部に固定されて前記後仕切部の配置を定める後連動リンク部を備えることを特徴とする包装用箱のブランクシート。
【請求項５】
左側板、前側板、右側板及び後側板に囲まれた直方体状の閉鎖空間を備え且つ前記閉鎖空間の内部に緩衝空間に挟まれた支持空間を備えた包装用箱に組み立てられる一連のブランクシートであって、
前記左側板、前側板、右側板及び後側板に続いて前記支持空間を囲う迫出し板、前基板、戻り板、後基板及び向心板並びに中基板を連続して備え、
前記迫出し板の幅は、前記左右側板の幅より短く、
前記戻り板の幅は、前記迫出し板の幅より短く、
前記向心板の幅は、前記戻り板の幅の略半分であり、
前記前基板は、その一部に前側板に定着し前記前基板を前記前側板から離隔させる前アンカーを備えると共に、前記前基板の前記前アンカーの反迫出し側に折り重なる前仕切板を前記前基板の端縁から連続して備え、
前記後基板は、その一部に後側板に定着し前記後基板を前記後側板から離隔させる後アンカーを備えると共に、前記後基板の前記後アンカーの反迫出し側に折り重なる後仕切板を前記後基板の端縁から連続して備え、
前記前仕切板は、前記前仕切板から離脱して前記支持空間を区画する幅を備えた前仕切部と、前記前仕切部の幅方向の一方から連続し前記前基板の定位置に各々定着する前静止リンク部と、前記前仕切部の幅方向の他方から連続し前記前仕切部の配置を定める前連動リンク部を備え、
前記後仕切板は、前記後仕切板から離脱して前記支持空間を区画する幅を備えた後仕切部と、前記後仕切部の幅方向の一方から連続し前記後基板の定位置に各々定着する後静止リンク部と、前記後仕切部の幅方向の他方から連続し前記中基板を介して前記前連動リンク部に固定されて前記後仕切部の配置を定める後連動リンク部を備えることを特徴とする包装用箱のブランクシート。
【請求項６】
前記閉鎖空間を囲む側板の端縁から延出する綴込み板を備え、前記綴込み板は、当該綴込み板が連続する側板の端縁から内側に折り返された返り部と、当該返り部の先端から内側に屈曲し前記支持空間と緩衝空間を仕切る遮蔽部を備え、前記仕切板は、前記遮蔽部の仕切位置を規制する支持部を備える前記請求項４又は前記請求項５のいずれかに記載の包装用箱のブランクシート。
【発明の詳細な説明】
【技術分野】
【０００１】
本発明は、包装した商品を保護するための緩衝機能を一体的に備える包装用箱及びそのブランクシートに関する。
【背景技術】
【０００２】
例えば、液状の医薬品等が入れられたアンプルなどの破損し易い内容物を収容する包装用箱の分野では、内容器を衝撃から保護し当該内容器の破損及び内容物の流出を回避する緩衝機能を有することが好ましい。殊に、複数の内容器を収容する場合にあっては、各内容器を個々に保持し且つ内容器相互の干渉を防止する仕切を設ける必要性が生じる場合もある。
【０００３】
これまでも、包装用箱の内部に緩衝スペースを形成する支持材を収容する手法（例えば下記特許文献１参照）や、包装用箱自体にその内部に緩衝スペースを形成する要素を一体的に設け、更に、内容器を保持する支持材を装填する手法（例えば下記特許文献２又は特許文献３参照）が種々紹介されている。
なかには、包装用箱を一連のブランクシートから組み上げる構成を採用し、当該ブランクシートのレイアウト及び折曲げ方を工夫することによって、包装用箱自体に支持構造及び緩衝空間を一体的に設ける手法（例えば下記特許文献４又は特許文献５参照）が存在し、更に、その緩衝空間を形成するスペーサに弾性を与えた例（例えば下記特許文献６参照）も紹介されている。
【先行技術文献】
【特許文献】
【０００４】
【特許文献１】実用新案公報第３１７５０２３号公報
【特許文献２】特開２０１２−９１７９６号公報
【特許文献３】特許第５１６３９５１号公報
【特許文献４】特許第５４８４７５４号公報
【特許文献５】特許第４９９１９１９号公報
【特許文献６】特許第５３７７１８１号公報
【発明の概要】
【発明が解決しようとする課題】
【０００５】
しかしながら、前記特許文献１乃至特許文献３に記載の技術は、複数の部材を形作るブランクシート各々について、裁断工程及び組立工程が必要となる他、包装用箱の内部に支持材などを装填する作業を伴い、包装用箱の製造から内容器の装填に至るまでの工程が複雑化すると言う問題がある。
一方、前記特許文献４乃至特許文献６に記載の技術は、複数の部材を組み立てる必要はないものの、当該一個の部材に対する組立作業自体が複雑であるために、包装用箱の製造から内容器の装填に至るまでの工程に、人手による作業を介在させざるを得ないという問題がある。
【０００６】
本発明は、上記実情に鑑みて為されたものであって、一連のブランクシートから組み上げられる包装用箱であって、緩衝機能、また時には仕切機能を一体的に備え、機械的に且つ自動的に包装用箱として組み立てるに適した構造を持つ包装用箱及びそのブランクシートの提供を目的とする。
【課題を解決するための手段】
【０００７】
上記課題を解決すべく為された本発明による包装用箱は、一連のブランクシートから組み立てられ、左側板、前側板、右側板及び後側板に囲まれた閉鎖空間を備え、前記閉鎖空間の内部に緩衝空間に挟まれた支持空間を備えた包装用箱である。
【０００８】
この包装用箱は、前記左側板、前側板、右側板及び後側板に続いて前記支持空間を囲う迫出し板、前基板、戻り板、後基板及び向心板を連続して備え、前記迫出し板の幅は前記左右側板の幅より短く、前記戻り板の幅は前記迫出し板の幅より短く、前記向心板の幅は前記戻り板の幅の略半分である。
ここで、“前”とは、前記迫出し板で迫出す方向であって、“後”とは、前記戻り板で戻る方向である。
【０００９】
前記前基板は、前記前側板に定着し前記前基板を前記前側板から離隔させる前アンカーを備えると共に、前記前基板の前記前アンカーの反迫出し側に折り重なる前仕切板を前記前基板の端縁から連続して備え、前記後基板は、その一部に後側板に定着し前記後基板を前記後側板から離隔させる後アンカーを備えると共に、前記後基板の前記後アンカーの反迫出し側に折り重なる後仕切板を前記後基板の端縁から連続して備える。
【００１０】
前記前仕切板は、前記前仕切板から離脱して前記支持空間を区画する幅を備えた前仕切部と、前記前仕切部の幅方向の一方から連続し前記前基板に定着する前静止リンク部と、前記前仕切部の幅方向の他方から連続する前連動リンク部を備え、前記後仕切板は、前記後仕切板から離脱して前記支持空間を区画する幅を備えた後仕切部と、前記後仕切部の幅方向の一方から連続し前記後基板に定着する後静止リンク部と、前記後仕切部の幅方向の他方から連続する後連動リンク部を備える。
前記前仕切板の前連動リンク部及び後仕切板の後連動リンク部は相互に固定される。
【００１１】
上記課題を解決すべく為された本発明による包装用箱の他の構成は、前記左側板、前側板、右側板及び後側板に続いて前記支持空間を囲う迫出し板、前基板、戻り板、後基板及び向心板並びに中基板を連続して備え、前記前仕切板は、前記前仕切板から離脱して前記支持空間を区画する幅を備えた前仕切部と、前記前仕切部の幅方向の一方から連続し前記前基板に定着する前静止リンク部と、前記前仕切部の幅方向の他方から連続する前連動リンク部を備え、前記後仕切板は、前記後仕切板から離脱して前記支持空間を区画する幅を備えた後仕切部と、前記後仕切部の幅方向の一方から連続し前記後基板に定着する後静止リンク部と、前記後仕切部の幅方向の他方から連続する後連動リンク部を備え、前記前仕切板の前連動リンク部及び後仕切板の後連動リンク部は前記中基板を介して相互に固定されている。
【００１２】
本発明による包装用箱は、更に、前記閉鎖空間を囲む側板の端縁から延出する綴込み板を備え、前記綴込み板は、当該綴込み板が連続する側板の端縁から内側に折り返された返り部と、当該返り部の先端から内側に屈曲し前記支持空間と緩衝空間を仕切る遮蔽部を備え、前記仕切板は、前記遮蔽部の仕切位置を規制する支持部を備える構成とすることもできる。
【００１３】
上記課題を解決すべく為された本発明による包装用箱のブランクシートは、左側板、前側板、右側板及び後側板に囲まれた閉鎖空間を備え、前記閉鎖空間の内部に緩衝空間に挟まれた支持空間を備えた包装用箱に組み立てられる一連のブランクシートである。
【００１４】
このブランクシートは、前記左側板、前側板、右側板及び後側板に続いて前記支持空間を囲う迫出し板、前基板、戻り板、後基板及び向心板を連続して備え、前記迫出し板の幅は前記左右側板の幅より短く、前記戻り板の幅は前記迫出し板の幅より短く、前記向心板の幅は前記戻り板の幅の略半分である。
【００１５】
前記前基板は、前記前側板に定着し前記前基板を前記前側板から離隔させる前アンカーを備えると共に、前記前基板の前記前アンカーの反迫出し側に折り重なる前仕切板を前記前基板の端縁から連続して備え、前記後基板は、その一部に後側板に定着し前記後基板を前記後側板から離隔させる後アンカーを備えると共に、前記後基板の前記後アンカーの反迫出し側に折り重なる後仕切板を前記後基板の端縁から連続して備える。
【００１６】
前記前仕切板は、前記前仕切板から離脱して前記支持空間を区画する幅を備えた前仕切部と、前記前仕切部の幅方向の一方から連続し前記前基板に定着する前静止リンク部と、前記前仕切部の幅方向の他方から連続する前連動リンク部を備え、前記後仕切板は、前記後仕切板から離脱して前記支持空間を区画する幅を備えた後仕切部と、前記後仕切部の幅方向の一方から連続し前記後基板に定着する後静止リンク部と、前記後仕切部の幅方向の他方から連続し前記前連動リンク部に固定される後連動リンク部を備える。
【００１７】
上記課題を解決すべく為された本発明による包装用箱のブランクシートの他の構成は、  前記左側板、前側板、右側板及び後側板に続いて前記支持空間を囲う迫出し板、前基板、戻り板、後基板及び向心板並びに中基板を連続して備え、前記前仕切板は、前記前仕切板から離脱して前記支持空間を区画する幅を備えた前仕切部と、前記前仕切部の幅方向の一方から連続し前記前基板に定着する前静止リンク部と、前記前仕切部の幅方向の他方から連続する前連動リンク部を備え、前記後仕切板は、前記後仕切板から離脱して前記支持空間を区画する幅を備えた後仕切部と、前記後仕切部の幅方向の一方から連続し前記後基板に定着する後静止リンク部と、前記後仕切部の幅方向の他方から連続し前記中基板を介して前記前連動リンク部に固定される後連動リンク部を備える。
【００１８】
本発明による包装用箱のブランクシートは、更に、前記閉鎖空間を囲む側板の端縁から延出する綴込み板を備え、前記綴込み板は、当該綴込み板が連続する側板の端縁から内側に折り返された返り部と、当該返り部の先端から内側に屈曲し前記支持空間と緩衝空間を仕切る遮蔽部を備え、前記仕切板は、前記遮蔽部の仕切位置を規制する支持部を備える構成とすることもできる。
【００１９】
前記包装用箱のブランクシートは、すくなくとも前記前連動リンクと前記後連動リンクを直接又は前記中基板を介して相互に固定することによって、組立工程において自動的に前記前仕切部及び後仕切部がそれぞれ前記前仕切板及び後仕切板から離脱する。
この様に仕切られた支持空間をより好適に展開し展開後の安定感を高めるために、前記前連動リンク又は前記後連動リンクから連続し左右いずれかの前記迫出し板、戻り板又は向心板に固定する起動部を設ける構成とすることもできる。
【発明の効果】
【００２０】
本発明による包装用箱及びそのブランクシートによれば、一連のブランクシートから組み立てることから、複数の部材を形作るブランクシートの各々について、裁断工程及び組立工程が必要となることもなく、包装用箱の内部に支持材などを装填する作業を要することもなく、包装用箱の製造から内容器の装填に至るまでの工程が簡素となる。
【００２１】
また、複数の部材を組み立てる必要はなく、組立作業も簡素であり且つ包装用箱を形作る各板のレイアウト及び組み立て時における各構成面の折曲げ方向に工夫がなされているために、包装用箱の製造から内容器の装填に至るまでの工程に人手による作業を出来る限り簡素化し、緩衝機能や仕切（保持）機能を一体的に備え、最小限の手間で組み立て得る構造を実現することができる。
【００２２】
前記前基板及び前記後基板の存在によって、それらに挟まれた前記支持空間と側板との間に緩衝空間を介在しつつも、前記前後仕切部の位置及び姿勢を安定させることができ、更に、前記前基板と前記後基板との間に中基板を介在し、前記仕切板の前記連動部を定着させることによって、前記前後仕切部の位置及び姿勢の安定感及び調整の便宜を高めることができる他、前記支持空間を前後に分割する仕切の厚みを稼ぐことが可能となり、内容物の保護状態を高めることができる。そして、この様な作用効果を得る構成にあっても、前記組立の便宜を大きく損なうことはない。
【図面の簡単な説明】
【００２３】
【図１】本発明による包装用箱の底封工程の一例を示す斜視図である。
【図２】本発明による包装用箱の折畳み工程（ブランクシート）の一例を示す平面図である。
【図３】本発明による包装用箱の折畳み工程の一例を示す正面図及び平面図である。
【図４】本発明による包装用箱の折畳み工程の一例を示す正面図及び平面図である。
【図５】本発明による包装用箱の折畳み工程の一例を示す正面図及び平面図である。
【図６】本発明による包装用箱の折畳み工程の一例を示す正面図及び平面図である。
【図７】本発明による包装用箱の折畳み工程の一例を示す正面図及び平面図である。
【図８】本発明による包装用箱の折畳み工程の一例を示す正面図及び平面図である。
【図９】本発明による包装用箱の展開工程の一例を示す正面図である。
【図１０】本発明による包装用箱（筒状）の一例を示す図９（Ｃ）における（Ａ）：Ａ−Ａ矢視、（Ｂ）：Ｂ−Ｂ矢視、（Ｃ）：Ｃ−Ｃ矢視、（Ｄ）：Ｄ−Ｄ矢視、（Ｅ）：Ｅ−Ｅ矢視、（Ｆ）：Ｆ−Ｆ矢視及び（Ｇ）：Ｇ−Ｇ矢視それぞれの断面図である。
【図１１】本発明による包装用箱の一例を示す（Ａ）：平面図、（Ｂ）：左側面図、（Ｃ）：背面図、（Ｄ）：右側面図、（Ｅ）：底面図及び（Ｆ）：正面図である。
【図１２】本発明による包装用箱（筒状）の一例を示す（Ａ）：右側面図，（Ｂ）：（Ｃ）のＨ−Ｈ矢視断面図，（Ｃ）：正面図，（Ｄ）：（Ｃ）のＩ−Ｉ矢視断面図、（Ｅ）：左側面図及び（Ｆ）：背面図である。
【発明を実施するための形態】
【００２４】
以下、本発明による包装用箱の実施の形態を、そのブランクシートの実施の形態と共に詳細に説明する。
図１に示す例は、一枚のブランクシートから直方体状に組み立てられ、四つの側板に囲まれた直方体状の閉鎖空間Ｓ１を備え、且つ前記閉鎖空間Ｓ１の内部に、緩衝空間Ｓ３に挟まれた支持空間Ｓ２を備える包装用箱であり、図２に示す例は、そのブランクシートである。
【００２５】
前記包装用箱は、前記閉鎖空間Ｓ１を囲う右側板１、前側板２、左側板３及び後側板４を備え、前記後側板４の端縁から連続し前記支持空間Ｓ２を囲む迫出し板５、前基板６、戻り板７、後基板８及び向心板９並びに前記支持空間Ｓ２を前後に分割する中基板１０を備える。
【００２６】
＜ブランクシート＞
図２に示すブランクシートは、前記右側板１、前側板２、左側板３及び後側板４、並びに前記迫出し板５、前基板６、戻り板７、後基板８、向心板９及び前記中基板１０を一列に連結したものである。
前記迫出し板５の幅は、前記左右側板３，１の幅より前方の緩衝空間Ｓ３の奥行き長短く、前記戻り板７の幅は前記迫出し板５の幅より後方の緩衝空間Ｓ３の奥行き長短く、前記向心板９の幅は前記戻り板７の幅の半分である。
前記右側板１及び左側板３は、それぞれ上下端縁から延びる上下フラップ１１，１２，１３，１４を備え、前記前側板２は、その下端縁から延びる下蓋１５を備え、前記後側板４は、その上端縁から延びる上蓋１６及び下端縁から延びる綴込み板１７を備え、前記前基板６及び戻り板７は、その端縁から当該両者にわたって延びる前仕切板１８を備え、前記後基板８及び向心板９は、その端縁から当該両者にわたって延びる後仕切板１９を備える。
【００２７】
前記前基板６は、その一部に前記前側板２に定着し前記前基板６を前記前側板２から離隔させる前アンカー２０を備える。
前記前アンカー２０は、前記前基板６の中央部をコの字状に切り込んだ範囲の内側に形成され、当該前アンカー２０の基部に、展開時における前記前側板２と前記前基板６との間隔を決めるスペーサ部２０ａを備え、その先端寄りに、前記前側板２の裏面に定着する接着代２０ｂを備える。
前記後基板８は、その一部に前記後側板４に定着し前記後基板８を前記後側板４から離隔させる後アンカー２１を備える。
前記後アンカー２１は、前記後基板８の中央部をコの字状に切り込んだ範囲の内側に形成され、当該後アンカー２１の基部に、展開時における前記後側板４と前記後基板８との間隔を決めるスペーサ部２１ａを備え、その先端寄りに、前記後側板４の裏面に定着する接着代２１ｂを備える。
【００２８】
前記前アンカー２０及び前記後アンカー２１にいずれにあっても、それらの前記スペーサ部２０ａ，２１ａに対する前記接着代２０ｂ，２１ｂの向きは、後に記す展開工程において、各々の接着代２０ｂ，２１ｂが定着する前記前側板２又は前記後側板４に対して、各々の接着代２０ｂ，２１ｂが離脱する前記前基板６又は前記後基板８が移動する向きと一致するように定める。
【００２９】
前記前仕切板１８は、そこから離脱して前記支持空間を区画できる幅を備えた「く」の字状又は「＞」状（以下「くの字状」という）の前仕切部１８ａと、各前仕切部１８ａの幅方向の一方となる各々の上端同士若しくは下端同士又は双方を連結する前静止リンク部１８ｂと、前記前仕切部１８ａの幅方向のもう一方となる各々の屈曲部（「くの字状」の頂部）を連結する前連動リンク部１８ｃと、当該前連動リンク部１８ｃの左右の端のいずれか（この例では前記前仕切部１８ａの頂が指す方向の端）から延びて前記戻り板７又は前記中基板１０に定着する前起動部１８ｄを、当該前仕切板１８を当該前仕切板１８に刻まれた切込βを介して分割する形で備える。
前記後仕切板１９は、前記前仕切板１８と同様に、後仕切部１９ａ、後静止リンク部１９ｂ、後連動リンク部１９ｃ及び後起動部１９ｄを、当該後仕切板１９を各々に刻まれた切込βを介して分割する形で備える。
前記後起動部１９ｄは、前記後連動リンク部１９ｃの左右の端のいずれか（この例では前記後仕切部１９ａの頂が指す方向の端）から延びて前記向心板９又は前記中基板１０に定着する。
【００３０】
この例の前記前仕切板１８は、前記前仕切部１８ａを複数個（この例では等間隔に５個）左右に並べて備える。
前記前仕切部１８ａはそれぞれ等間隔で同じ方向を向くように横並びに刻まれ、前記前静止リンク部１８ｂは前記前仕切板１８の上縁及び下縁として設けられ、前記前連動リンク部１８ｃは前記前仕切板１８の上下方向の中央部に沿って前記前静止リンク部１８ｂと平行に設けられ、前記前起動部１８ｄは前記戻り板７と前記後基板８との境界の延長線に沿って設けられる。
この例の前記後仕切板１９は、前記前仕切板１８と同様に前記後仕切部１９ａを備える。
前記後仕切部１９ａ、前記後静止リンク部１９ｂ及び前記後連動リンク部１９ｃは、前記前仕切板１８の前記前仕切部１８ａ、前記前静止リンク部１８ｂ及び前記前連動リンク部１８ｃと同様に設けられる。
前記後起動部１９ｄは、前記中基板１０と前記向心板９との境界の延長線に沿って設けられる。
【００３１】
前記前連動リンク部１８ｃ及び後連動リンク部１９ｃ、前記前仕切部１８ａ及び後仕切部１９ａ並びに前記前静止リンク部１８ｂ及び後静止リンク部１９ｂは、後記展開工程を経た後に、各々隣接する部分との関係で、前記前仕切部１８ａや後仕切部１９ａが並ぶ方向（左右）と直角の方向（上下）に走る折曲げ線δを介して屈曲し、前記前連動リンク部１８ｃ及び後連動リンク部１９ｃに対する前記前静止リンク部１８ｂ及び後静止リンク部１９ｂは相互に平行となり、前記仕切部１８ａ，１９ａのそれぞれも相互に平行となるように区画されている。
【００３２】
前記下蓋１５は、前記閉鎖空間Ｓ１の下開口部全体を覆う下閉鎖部１５ａと、当該閉鎖空間Ｓ１の下開口部に差し入れる差込部１５ｂを備える。
前記綴じ込板１７は、当該綴込み板１７が連続する前記後側板４の端縁から内側に折り返された返り部１７ａと、当該返り部１７ａの先端から反転して屈曲し前記支持空間Ｓ２と前記緩衝空間Ｓ３を仕切る遮蔽部１７ｂと、前記返り部１７ａと対抗して前記前側板２の裏面に接するように反り返る突っ張り部１７ｃを備える。
【００３３】
前記上蓋１６は、前記閉鎖空間Ｓ１の上開口部全体を覆う上閉鎖部１６ａと、前記上閉鎖部１６ａの先端縁から延出し、前記先端縁で下方へ屈曲し前記前側板２の表面上部に接着される封止部１６ｂを備える。
前記封止部１６ｂは、凹状に成形され、当該凹状を構成する左右一対の凸部とその基部との境界に、先端部を頂とした比較的緩やかな山状とするミシン目状の間欠切込αを備える。
当該間欠切込αで前記凸部から切り離された切離部の先端部は、開封後、再封時に前記閉鎖空間Ｓ１に差し入れられる差込片となる。
【００３４】
上記例のような包装用箱を形作る各構成要素（板や片等）又はそれらの各部位間の境界は、折曲げ成形を行う際の便宜や解体の便宜などのために、他の部分との相対的な強度差を与えるべく、当該境界線に沿って適宜設けられたミシン目状の間欠切込を備える。
各間欠切込の周期、深さ又は間欠割合等は、切断や折曲げなど、目的に応じて適宜調整する。
【００３５】
例えば、前記上蓋１６の間欠切込αや、前記仕切板１８の前記構成要素を分割する切込βや、前記前仕切板１８又は後仕切板１９が延設される前記戻り板７又は向心板９の端縁に設ける切込γは比較的深く切り込まれ、時には破断軌道を所望の方向へ誘導する切込と合体した切込が連続して設けられるが、例えば、前記前連動リンク部１８ｃ、前記前仕切部１８ａ及び前記前静止リンク部１８ｂ各々の境界や、前記後連動リンク部１９ｃ、前記後仕切部１９ａ及び前記後静止リンク部１９ｂ各々の境界に介在する折曲げ線δは、他の部分との相対的な強度さを与えながらも、連続性を維持するための適度な強度を確保すべく比較的浅めの切込が直線的に設けられる。
【００３６】
＜組立＞
この例の組立は、立体化の下準備であって折曲げ作業及び貼着作業を伴う折畳み工程と、当該折畳み工程を経たブランクシートを筒状に立体化する展開工程と、筒状となったブランクシートの底を閉じ有底筒体とする底閉じ工程と、当該底閉じ工程を経た有底筒体に内容物を装填する装填工程と、内容物が装填された有底筒体を封鎖する封鎖工程を経てなされる。
【００３７】
前記折畳み工程は、前記前仕切板１８を前記前基板６の裏面側へ折重ねると共に、前記後仕切板１９を前記後基板８の裏面側へ折重ねて、折重ねた両者を接着する第１の折曲げ工程（図３参照）と、前記後仕切板１９と前記中基板１０との境界で前記後仕切板１９の表面と前記中基板１０の裏面が接するように折重ねて両者を接着する第２の折曲げ工程（図４参照）と、前記後基板８と前記戻り板７との境界で前記中基板１０の表面と前記前仕切板１８の表面が接するように折曲げ、当該接した両者を接着する第３の折曲げ工程（図５参照）と、前記前基板６と前記迫出し板５との境界で前記向心板９の表面と前記迫出し板５の裏面が接するように折曲げ、当該接した両者を接着する第４の折曲げ工程と（図６参照）、前記後側板４と前記左側板３との境界で前記戻り板７の表面と前記左側板３の裏面が接するように折曲げ、当該接した両者を接着する第５の折曲げ工程（図７参照）と、前記前側板２と前記右側板１との境界で前記右側板１の裏面と前記迫出し板５の表面が接するように折曲げ、当該接した両者を接着する第６の折曲げ工程（図８参照）からなる。
【００３８】
この例では、前記第１の折曲げ工程の際に、前記前基板６の裏面は、前記前仕切板１８の前静止リンク部１８ｂの裏面と接着され、前記戻り板７の裏面は、前記前起動部１８ｄの裏面と接着され、他の部分は接着されない。
また、前記後基板８の裏面は、前記後仕切板１９の後静止リンク部１９ｂの裏面と接着され、前記中基板１０の前記向心板９寄りの裏面（前記向心板９の裏面でもよい）は、前記後起動部１９ｄの表面と接着され、他の部分は接着されない。
【００３９】
前記第２の折曲げ工程の際は、前記中基板１０の裏面は、前記後仕切板１９の後連動リンク部１９ｃと接着され、他の部分とは接着されない。
前記第３の折曲げ工程の際は、前記中基板１０の表面は、前記前仕切板１８の前連動リンク部１８ｃと接着され、他の部分とは接着されない。
前記第２・第３の折曲げ工程によって、前記前仕切板１８及び後仕切板１９の前連動リンク部１８ｃ及び後連動リンク部１９ｃは、前記中基板１０を介して一体となる。
【００４０】
前記第４の折曲げ工程では、前記迫出し板５の裏面は、前記向心板９の表面と接着され、前記後側板４の裏面は、前記後基板８に設けられた前記後アンカー２１の接着代２１ｂの表面と接着されるが、他の部分は接着されない。
前記第５の折曲げ工程の際は、前記左側板３の裏面は、前記戻り板７の表面と接着され、前記前側板２の裏面は、前記前基板６に設けられた前記前アンカー２０の接着代２０ｂの表面と接着されるが、他の部分は接着されない。
【００４１】
前記展開工程は、上記の如く折畳み工程を終えたブランクシートを、前記左側板３及び前記右側板１が前記前側板２及び前記後側板４に対して直角に起立するまで、前記前側板２と前記後側板４との間隔を開くように操作する（図９参照）。
その結果、前記前基板６及び前記後基板８から前記前アンカー２０及び前記後アンカー２１が離脱すると共に、前記前仕切板１８及び前記後仕切板１９から前記前静止リンク部１８ｂ及び後静止リンク部１９ｂを残して前記前仕切部１８ａ、前記前連動リンク部１８ｃ及び前記前起動部１８ｄ並びに前記後仕切部１９ａ、前記後連動リンク部１９ｃ及び前記後起動部１９ｄが離脱し、前記前連動リンク部１８ｃ及び後連動リンク部１９ｃと前記中基板１０は、一体となって、前記中基板１０と前記前後側板２，４が各々の全幅が略向き合うに至るまで前記支持空間Ｓ２の前後方向中間部に誘導される。
同時に、前記前仕切部１８ａ及び後仕切部１９ａは、前記前仕切板１８及び後仕切板１９に切り込まれた間隔で前後に分割された前記支持空間Ｓ２を左右方向に並ぶ複数室に区分し、その両端部に緩衝空間Ｓ３を形成する（図１０（Ｂ）（Ｃ）（Ｅ）（Ｆ）参照）。
【００４２】
前記底閉じ工程は、前記綴じ込板１７を前記前仕切部１８ａ又は後仕切部１９ａの下端に当接するまで前記閉鎖空間Ｓ１の下開口部へ凹状に押し入れ、当該下開口部を構成する前記左右側板３，１から延出する一対の下フラップ１４，ｌ３を、当該下開口部を封じるように直角に折り曲げ、最後に前記下蓋１５を、その差込部１５ｂを前記後側板４と一対の下フラップ１４，１３との隙間に差し入れて封じるものである（図１参照）。
この後、装填工程において、前記前仕切部１８ａ及び後仕切部１９ａによって形成された複数室に、内容物（例えばアンプル等）を装填する。
【００４３】
前記封鎖工程は、前記閉鎖空間Ｓ１を囲う前記左右側板３，１の上端から延出する一対の上フラップ１２，１１を、当該閉鎖空間Ｓ１の上開口部を封じるように直角に折り曲げ、最後に前記上蓋１６を、その上閉鎖部１６ａを前記閉鎖空間Ｓ１の上開口部全体を覆うように直角に折曲げ、当該閉鎖空間Ｓ１を囲う前記前側板２の表面上部に前記封止部１６ｂを接着するものである。
前記前側板２と前記封止部１６ｂの接着は、当該前側板２と前記封止部１６ｂが備える一対の凸部との関係のみで行い、当該封止部１６ｂの基部については接着を行わないでおく。
【００４４】
＜開封及び再封＞
上記の如く組み立てられた包装用箱は、前記封止部１６ｂの基部であって前記差込片となる領域を前記封止部１６ｂの一対の凸部から前記間欠切込αを破断しつつジッパーのように引き剥がすことによって開封し、前記差込片となる基部の先端部を前記前側板２と一対の前記上フラップ１２，１１との隙間へ差し入れることによって再封する。
【００４５】
尚、本発明による包装用箱の具体的構成は、上記例に限定されるものではなく、前記折畳み工程を経た一連の展開シートが、単一方向への力で、前記閉鎖空間Ｓ１、緩衝空間Ｓ３、支持空間Ｓ２並びに前記前仕切部１８ａ及び後仕切部１９ａの全てを形作って展開する構成である限りにおいて、前記閉鎖空間Ｓ１の開口部を封じる構造や、前記仕切板の設け方など包装用箱を形作る各構成要素の形状や構成を適宜変更することが可能である。
【００４６】
前記遮蔽部１７ｂの構成や当該遮蔽部１７ｂを支える支持部の構成にあっても、前記仕切の下端を支持部とする構成に限るものではなく、当該支持部を単一方向の力で支持位置に配置でき且つ開口部に押し入れられる前記遮蔽部１７ｂをその端縁で制止し、前記支持空間Ｓ２の底板として機能する板を設けることができる限り、その構成は、内容物の形態や大きさに合わせて適宜設計することができる。
【符号の説明】
【００４７】
Ｓ１  閉鎖空間，Ｓ２  支持空間，Ｓ３  緩衝空間，
α  間欠切込，β  切込，γ  切込，δ  折曲げ線，
１  右側板，２  前側板，３  左側板，４  後側板，
５  迫出し板，６  前基板，７  戻り板，８  後基板，９  向心板，１０  中基板，
１１  （右）上フラップ，１２（左）上フラップ，
１３  （右）下フラップ，１４（左）下フラップ，
１５  下蓋，１５ａ  下閉鎖部，１５ｂ  差込部，
１６  上蓋，１６ａ  上閉鎖部，１６ｂ  封止部，
１７  綴込み板，１７ａ  返り部，１７ｂ  遮蔽部，１７ｃ  突っ張り部，
１８  前仕切板，１８ａ  前仕切部，
１８ｂ  前静止リンク部，１８ｃ  前連動リンク部，１８ｄ  前起動部，
１９  後仕切板，１９ａ  後仕切部，
１９ｂ  後静止リンク部，１９ｃ  後連動リンク部，１９ｄ  後起動部，
２０  前アンカー，２０ａ  スペーサ部，２０ｂ  接着代，
２１  後アンカー，２１ａ  スペーサ部，２１ｂ  接着代，
【図１】
2017095167.tif 000003
【図２】
2017095167.tif 000004
【図３】
2017095167.tif 000005
【図４】
2017095167.tif 000006
【図５】
2017095167.tif 000007
【図６】
2017095167.tif 000008
【図７】
2017095167.tif 000009
【図８】
2017095167.tif 000010
【図９】
2017095167.tif 000011
【図１０】
2017095167.tif 000012
【図１１】
2017095167.tif 000013
【図１２】
2017095167.tif 000014